(57)【要約】【課題】歩行者用コンベア等の搬送装置のための改良されたコンベヤを提供すること。【解決手段】本発明は、例えば歩行者に長手方向（Ｌ）の移動を伝えるように設計された、２つの駆動システム（１、２）間のコンベヤに関し、本装置は、シャーシ（３）と、転動面（Ｒ）を画定する転動手段とを含む。本発明による装置は、各々がシャーシ（３）に一体化された、上縁部が転動面（Ｒ）から後退するまで横方向（Ｔ）に垂直な面に延びる複数の側壁と、各々が横方向（Ｔ）に平行に延びる、複数の隣接する側壁を横断する複数の軸（６１）とを含み、転動手段が、軸（６１）に回転するように組み立てられたローラ（４）を含み、長手方向（Ｌ）に隣接する複数の連続した列を形成する。【選択図】図１
2004250232.tif 000002
【特許請求の範囲】
【請求項１】
歩行者に長手方向（Ｌ）の移動を伝えるように設計された、歩行者用コンベヤ等の搬送装置の２つの能動駆動システム（１、２）間の受動コンベヤであって、
前記長手方向（Ｌ）の前記２つの駆動システム（１、２）間に配置され、前記長手方向（Ｌ）に垂直な横方向（Ｔ）に延びるシャーシ（３）と、前記シャーシ（３）により支持されて前記２つの駆動システム（１、２）を接続する転動面（Ｒ）を画定する転動手段（４）とを備え、
各々が前記シャーシ（３）に一体化された、上縁部（５１０〜５４０）が前記転動面（Ｒ）から後退するまで前記横方向（Ｔ）に垂直な面上に延びる複数の側壁（５１〜５４）と、各々が前記横方向（Ｔ）に平行に延びる、少なくとも２つの隣接する側壁（５１、５２）を横断する複数の軸（６１〜６６）とを含み、
前記転動手段（４）は、前記長手方向（Ｌ）に隣接する複数の連続した列（４１〜４６）に配置された複数のローラ（４）から成り、前記各ローラは前記軸（６１〜６４）の１つに回転するように組み付けられ、
さらにコンベヤが、前記横方向（Ｔ）に整列された複数の支持ベース（７）を含み、各支持ベース（７）は前記シャーシ（３）と一体化され、少なくとも２つの互いに平行な側壁（５１、５４）を担持することを特徴とするコンベヤ。
【請求項２】
前記ローラの各列（４１〜４６）は、横方向（Ｔ）に同軸にて積み重なった状態の１つまたは複数のローラ（４）から成ることを特徴とする、請求項１に記載のコンベヤ。
【請求項３】
前記各ローラ（４）は、ボール、ローラ、またはオイルリング潤滑軸受を使用して、前記軸（６１〜６６）に回転可能に組み付けられることを特徴とする、請求項１または２に記載のコンベヤ。
【請求項４】
前記ローラ（４）の少なくとも一部は、他と異なる外径を有することを特徴とする、請求項１乃至３のいずれか一項に記載のコンベヤ。
【請求項５】
前記支持ベース（７）は、前記横方向（Ｔ）に突合せ接合して整列され、前記長手方向（Ｌ）には単列とされることを特徴とする、請求項１乃至４のいずれか一項に記載のコンベヤ。
【請求項６】
前記各支持ベース（７）は、前記長手方向（Ｌ）の前記側壁（５１〜５４）より下流に、ほぼ三角形断面のラッチロッド（７０）を有し、前記ラッチロッドの上面（７００）は、前記転動面（Ｒ）より下位に位置し、前記側壁（５１〜５４）から更に遠方に延びることを特徴とする、請求項１乃至５のいずれか一項に記載のコンベヤ。
【請求項７】
前記各ラッチロッド（７０）は、前記第２の駆動システム（２）に瓦状に重ねられて畳み込まれる櫛形状を呈する下面（７０１）および下流縁部（７０２）を有することを特徴とする、請求項６に記載のコンベヤ。
【請求項８】
前記各支持ベース（７）が前記シャーシ（３）に着脱可能に装着されることを特徴とする、請求項１乃至７のいずれか一項に記載のコンベヤ。
【請求項９】
前記シャーシ（３）が、組付手段（３０）を持つ２つの端部を有することを特徴とする、請求項１乃至８のいずれか一項に記載のコンベヤ。
【発明の詳細な説明】
【技術分野】
【０００１】
本発明は、一般に、固定の基礎構造を備えた受動コンベヤに関し、より詳細には、本発明は、例えば歩行者に長手方向の移動を伝えるように設計された、歩行者用コンベヤ等の搬送装置の２つの能動駆動システム間の受動コンベヤに関する。このコンベヤは、長手方向の２つの駆動システム間に配置され、長手方向に垂直な横方向に延びるシャーシと、シャーシにより支持されて２つの駆動システムを接続する転動面を画定する転動手段とを含む。
【背景技術】
【０００２】
このタイプの装置は、例えば欧州特許第ＥＰ０８０３４６４号に開示されている。この特許に記載されているように、この種コンベヤの目的は、２つの異なる速度で動作する２つの駆動システム間の所与の荷重、例えば歩行者の一時的な移動に考慮して、搬送される荷重によって受ける正または負の加速度が最少になるようにすることである。
この種の装置は、一般に公共の場に据え付けられるが、厳しい動作規制が加えられるため、非常に頑強でなければならない。
【０００３】
この観点から、前記特許は、運転手段として、ほぼ半球形または半円筒形の凹部内のボールまたはローラを使用することを推奨している。
【特許文献１】欧州特許第ＥＰ０８０３４６４号
【発明の開示】
【発明が解決しようとする課題】
【０００４】
上記のような背景の下に本発明は、頑強な構成を持ち、かつ転動面上に、従来技術の装置よりも良好な転動面をもたらすことのできる、単純構造のコンベヤを提供することを課題とするものである。
【課題を解決するための手段】
【０００５】
この課題を解決するための本発明に係る装置は、歩行者に長手方向の移動を伝えるように設計された、歩行者用コンベヤ等の搬送装置の２つの能動駆動システム間の受動コンベヤであって、前記長手方向の前記２つの駆動システム間に配置され、前記長手方向に垂直な横方向に延びるシャーシと、前記シャーシにより支持されて前記２つの駆動システムを接続する転動面を画定する転動手段とを備え、各々が前記シャーシに一体化された、上縁部が前記転動面から後退するまで前記横方向に垂直な面上に延びる複数の側壁と、各々が前記横方向に平行に延びる、少なくとも２つの隣接する側壁を横断する複数の軸とを含み、前記転動手段は、前記長手方向に隣接する複数の連続した列に配置された複数のローラから成り、前記各ローラは前記軸の１つに回転するように組み付けられ、さらにコンベヤが、前記横方向に整列された複数の支持ベースを含み、各支持ベースは前記シャーシと一体化され、少なくとも２つの互いに平行な側壁を担持することを特徴とすることを基本的特徴とする。
【０００６】
好ましくは、ローラの各列が、横方向に同軸にて積み重なった状態の１つまたは複数のローラから成る。各ローラは、ボール、ローラ、またはオイルリング潤滑軸受を使用して、軸に回転可能に組み付けられる。
【０００７】
本発明によるコンベヤでは、ローラの少なくとも一部が他と異なる外径を有する。
好ましい実施形態によれば、コンベヤは横方向に整列する複数の支持ベースを含み、各支持ベースは、シャーシと一体化され、少なくとも２つの互いに平行な側壁を担持する。
【０００８】
好ましくは、支持ベースは、横方向に突合せ接合して整列され、長手方向には単列とされる。
各支持ベースは、例えば長手方向の側壁より下流に、ほぼ三角形断面のラッチロッドを有し、このラッチロッドの上面は、転動面より下位に位置し、側壁から更に遠方に延びる。
各ラッチロッド内に瓦状に重ねられて畳み込まれる第２の駆動システムに櫛形状を呈する下面および下流縁部を有する。
【０００９】
本発明によるコンベヤの組立ておよびメンテナンスは、各支持ベースをシャーシに着脱可能に装着することにより最適化される。シャーシは、固定の基礎構造上への組付手段を有する２つの端部を担持する。
【発明を実施するための最良の形態】
【００１０】
本発明の他の特徴および利点は、添付図面を参照しながら、例を用いて示される非限定的な以下の説明を読めば明らかになろう。
【００１１】
前記したように、本発明は、歩行者用コンベア等の搬送システムに一体化されて、特に歩行者が長手方向Ｌへ乗り換え移動できるようにするコンベヤに関する。
この種のシステムは、一般に、第１の能動駆動システム１（例えば、電動コンベヤ）と、第２の能動駆動システム２（例えば、別の電動ローラにより駆動されるエンドレスベルト）とを備える。本発明に係るコンベヤは受動のものであり、そのことは、それ自体電動化されていないことを意味する。該コンベヤは、長手方向の２つの能動駆動システム１、２間に配置される。
【００１２】
本発明の対象となるコンベヤは、シャーシ３と転動手段４とから成る。
シャーシ３は、長手方向Ｌに垂直な横方向Ｔに延びる。
このシャーシ３は、各端部に組付手段３０を備え、固定の基礎構造（図示せず）に装着できるようになっている。
【００１３】
転動手段４は、シャーシ３により少なくとも間接的に支持されることにより、その転動面Ｒが画定される。図１に更に正確に示されるように、転動面Ｒは２つの能動駆動システム１、２を接続し、能動駆動システム１、２により画定される上部輸送面とほぼ同一平面となる。
【００１４】
本発明に係るコンベヤの転動手段４は、公知の装置のように、チャネル内のボールまたはローラから構成されるのではなく、軸支されて回転するように組み立てられたローラから構成される。かかる構成とするために、この装置は、第１に、複数の側壁５１〜５４等を備え、各側壁５１〜５４等はシャーシ３に一体化され、横方向Ｔに垂直な方向に延びる。
各側壁は上縁部５１０〜５４０等で終端し、この上縁部５１０〜５４０等は転動面Ｒと比べて後退していて、コンベヤが水平なときに転動面Ｒより下方に位置する。
【００１５】
この装置は更に、複数の軸６１〜６６等を含み、各軸６１〜６６は、横方向Ｔに平行に延び、少なくとも２つの隣接する側壁５１、５２等を横断する。
各ローラ４は、軸６１〜６６のいずれかを軸にして回転するように組み立てられ、このローラ４は、長手方向Ｌに互いに隣接する、一連の複数の連続する列４１〜４６を形成するようにひとまとめにして配置される。
【００１６】
図１〜３に示されるように、側壁５１〜５４等は支持ベース７により保持され、各支持ベース７は、例えば、この支持ベース７の底壁７１に作られたオリフィス７１０に挿入されるねじ８等を使用して、シャーシ３に着脱可能に固定される。
【００１７】
支持ベース７は、横方向Ｔには突合せ接合して整列され、かつ長手方向Ｌには、単列となるようにシャーシ３に固定される。各支持ベース７は、３つ以上の側壁を含み、例えば、図に示すように、４つの側壁５１〜５４を含む。
【００１８】
更に、ローラの横方向Ｔの大きさを、より大きく、あるいは、より小さくすることができる。しかし、ローラの列４１〜４６等の各々が、横方向Ｔに同軸にて積み重なった状態の複数のローラ４を同一の支持ベース７上に含むことが好ましい。
【００１９】
ローラ４の少なくとも一部は異なる外径とすることができ、各ローラは、ボール、ローラ、またはオイルリング潤滑軸受を使用して、軸６１〜６５等に軸支されて回転するように組み立てられる。
【００２０】
好ましくは、各支持ベース７は、この支持部の底壁７１に対して、かつ底壁７１から延びる側壁５１〜５４に対して、長手方向Ｌ下流に配置される断面がほぼ三角形のラッチロッド７０を有する。図１に特に示すように、ラッチロッド７０は、その上面７００が転動面Ｒより下位にあり、側壁５１〜５４から更に遠方に延びるように形成され、この配置により、第２の駆動システム２に移送される荷重の伝達が促進される。
【００２１】
更に有利には、各支持ベース７のラッチロッド７０の下面７０１および下流縁部７０２は、相補形を使用する目的で、第２の駆動システム２に瓦状に重ねられて畳み込まれるように櫛形状にされる。
【図面の簡単な説明】
【００２２】
【図１】横方向に垂直な断面から見た、本発明によるコンベヤと、該コンベヤが接続される２つの駆動システムの横断面図である。
【図２】本発明によるコンベヤの上面図である。
【図３】支持ベースが支持する軸およびローラの装着前における、本発明によるコンベヤで使用される支持ベースの斜視図である。
【図４】支持ベースが収容する軸およびローラと共に示す、支持ベースの拡大斜視図である。
【符号の説明】
【００２３】
１、２  駆動システム
３  シャーシ
４  転動手段
７  支持ベース
４１〜４６  列
５１〜５４  側壁
６１〜６６  軸
５１０〜５４０  上縁部
Ｌ  長手方向
Ｔ  横方向
Ｒ  転動面
【図１】
2004250232.tif 000003
【図２】
2004250232.tif 000004
【図３】
2004250232.tif 000005
【図４】
2004250232.tif 000006